(57)【要約】【課題】  撮像装置を覆い且つ断熱性を有する断熱ケースと、この断熱ケースを覆い且つ熱伝導性を有する熱伝導ケースと、を備える屋外設置用ハウジングであって、この撮像装置をより効果的に冷却できる屋外設置用ハウジングを提供する。【解決手段】  撮像装置２００と第１のケース１０１との間の断熱流路と、第１のケース１０１と第２のケース１０２との間の熱伝導流路と、この断熱流路に空気を供給する第１のファン１０５と、この断熱流路を通過する空気の一部をこの熱伝導流路へ導く第２のファン１０６とを有し、この断熱流路は、第１のファン１０５から供給される空気を、電源回路部２０４、第１のファン１０５の順に通過させ、第２のファン１０６は、第１のファン１０５から供給される空気であって電源回路部２０４を通過した後且つ第１のファン１０５を通過する前の空気を、この熱伝導流路へ導く。【選択図】  図１
2014106412.tif 000002
【特許請求の範囲】
【請求項１】
撮像装置を覆い、断熱性を有する断熱ケースと、
前記断熱ケースを覆い、熱伝導性を有する熱伝導ケースと、
前記撮像装置と前記断熱ケースとの間に形成される断熱流路と、
前記断熱ケースと前記熱伝導ケースとの間に形成される熱伝導流路と、
前記断熱流路に気体を供給する供給手段と、
を備える屋外設置用ハウジングであって、
前記断熱流路を通過する気体の一部を前記熱伝導流路へ導く誘導手段と、
を有し、
前記断熱流路は、前記供給手段から供給される気体を、前記撮像装置の電源回路部、前記供給手段の順に通過させ、
前記誘導手段は、前記供給手段から供給される気体であって前記電源回路部を通過した後且つ前記供給手段を通過する前の気体を、前記熱伝導流路へ導くことを特徴とする屋外設置用ハウジング。
【請求項２】
前記断熱流路は、前記供給手段から供給される気体を、前記電源回路部、前記撮像装置の撮像ユニット、前記供給手段の順に通過させ、
前記誘導手段は、前記供給手段から供給される気体であって前記撮像ユニットを通過した後且つ前記供給手段を通過する前の気体を、前記熱伝導流路へ導くことを特徴とする請求項１に記載の屋外設置用ハウジング。
【請求項３】
前記断熱流路は、前記供給手段から供給される気体を、前記電源回路部、前記撮像装置の熱伝導部、前記撮像ユニット、前記供給手段の順に通過させ、
前記誘導手段は、前記供給手段から供給される気体であって前記撮像ユニットを通過した後且つ前記供給手段を通過する前の気体を、前記熱伝導流路へ導くことを特徴とする請求項２に記載の屋外設置用ハウジング。
【請求項４】
前記断熱流路は、前記供給手段から供給される気体を、前記電源回路部、前記撮像装置の熱伝導部、前記撮像ユニット、前記誘導手段、前記供給手段の順に通過させることを特徴とする請求項３に記載の屋外設置用ハウジング。
【請求項５】
前記供給手段から供給される気体であって前記誘導手段を通過した後の気体と、前記供給手段から供給される気体であって前記電源回路部を通過する前の気体と、が合流することを規制する流路規制部をさらに有することを特徴とする請求項４に記載の屋外設置用ハウジング。
【請求項６】
前記断熱ケースに設けられ、前記撮像装置を加熱するためのする発熱手段をさらに有し、
前記断熱流路は、前記供給手段から供給される気体を、前記電源回路部、前記発熱手段、前記熱伝導部、前記撮像ユニット、前記誘導手段、前記流路規制部の順に通過させることを特徴とする請求項５に記載の屋外設置用ハウジング。
【発明の詳細な説明】
【技術分野】
【０００１】
本発明は、撮像装置を覆う屋外設置用ハウジングに関する。
【背景技術】
【０００２】
撮像装置を屋外に設置する際、雨や湿気、塵埃を遮断する為、撮像装置は、外部との熱伝達が容易でない密閉されたハウジングで覆われる場合がある。また、屋外設置用ハウジングは、降雪のある寒冷地域や直射日光にさらされる熱帯地域に設置されることを想定し、撮像装置の動作を保証できる温度に昇温・冷却することが求められる。
【０００３】
このような場合、一般的に、ヒータ・ファンを用いた撮像装置の昇温・冷却方法がとられるが、コストなどの観点から、消費電力をより低レベルに保つことが望ましい。
【０００４】
上記のような課題に対して、特許文献１には２層構造をもつ電子装置用ハウジングが提案されている。この電子装置用ハウジングは、電子装置を断熱材の第１シェルで覆い、第１シェルを熱伝導部材の第２シェルで覆い、ファンにより第１シェル内から第２シェルへガス状流体を与えることで、電子装置から第２シェルへの熱輸送を提供する。
【０００５】
これにより、電子装置用ハウジング外部の環境温度が高温の場合、ファンを動作させて、電子装置の動作により発生した熱を、熱伝導部材である第２シェルを介してハウジング外へ輸送する。また、ハウジング外部の環境温度が低温の場合、ファンを停止させることで、第１シェルと第２シェルの間に流動しない空気層を形成して断熱することで、電子装置の温度低下を防止することができる。
【先行技術文献】
【特許文献】
【０００６】
【特許文献１】特表２０１２−５０７８７７
【発明の概要】
【発明が解決しようとする課題】
【０００７】
しかしながら、上記従来例では、第１シェル内の空気流動は、設置されているファンの吸気により発生するものと、第１シェルと第２シェルとの間を流動して流動速度が減衰した空気によるものと、からなる。この為、電子装置と第１シェル内の空気との間の熱伝達において、第１シェル内の空気流動が十分でない場合があった。
【０００８】
その場合、外部環境温度が高温時、電子装置の熱が電子装置周囲の空気に伝わり難い為、電子装置の冷却性能が低くなってしまうことがあるといった問題があった。
【０００９】
本発明は、上記のような点に鑑みてなされたものである。すなわち、撮像装置を覆い且つ断熱性を有する断熱ケースと、この断熱ケースを覆い且つ熱伝導性を有する熱伝導ケースと、を備える屋外設置用ハウジングであって、この撮像装置をより効果的に冷却することができる屋外設置用ハウジングを提供するものである。
【課題を解決するための手段】
【００１０】
上記目的を達成するために、本発明の屋外設置用ハウジングは、撮像装置を覆い、断熱性を有する断熱ケースと、前記断熱ケースを覆い、熱伝導性を有する熱伝導ケースと、前記撮像装置と前記断熱ケースとの間に形成される断熱流路と、前記断熱ケースと前記熱伝導ケースとの間に形成される熱伝導流路と、前記断熱流路に気体を供給する供給手段と、を備える屋外設置用ハウジングであって、前記断熱流路を通過する気体の一部を前記熱伝導流路へ導く誘導手段と、を有し、前記断熱流路は、前記供給手段から供給される気体を、前記撮像装置の電源回路部、前記供給手段の順に通過させ、前記誘導手段は、前記供給手段から供給される気体であって前記電源回路部を通過した後且つ前記供給手段を通過する前の気体を、前記熱伝導流路へ導くことを特徴とする。
【発明の効果】
【００１１】
本発明によれば、撮像装置を覆い且つ断熱性を有する断熱ケースと、この断熱ケースを覆い且つ熱伝導性を有する熱伝導ケースと、を備える屋外設置用ハウジングであって、この撮像装置をより効果的に冷却することができる屋外設置用ハウジングを提供できる。
【図面の簡単な説明】
【００１２】
【図１】本発明の第１の実施形態における、屋外設置用ハウジングの斜視断面図である。
【図２】本発明の第１の実施形態における、屋外設置用ハウジングの斜視分解図である。
【図３】本発明の第１の実施形態における、第１のファンによる空気の流れを説明するための、屋外設置用ハウジングを側面から見た断面図である。
【図４】本発明の第１の実施形態における、第１のファンによる空気の流れを説明するための、屋外設置用ハウジングを正面から見た断面図である。
【図５】本発明の第１の実施形態における、第２のファンによる空気の流れを説明するための、屋外設置用ハウジングを側面から見た断面図である。
【図６】本発明の第１の実施形態における、第２のファンによる空気の流れを説明するための、屋外設置用ハウジングを上面から見た断面図である。
【図７】本発明の第１の実施形態における、ヒータによる空気の加熱を説明するための、屋外設置用ハウジングを正面から見た断面図である。
【図８】本発明の第２の実施形態における、屋外設置用ハウジングの斜視断面図である。
【図９】本発明の第２の実施形態における、第１のファンによる空気の流れを説明するための、屋外設置用ハウジングを側面から見た断面図である。
【図１０】本発明の第２の実施形態における、ファン吸気路変更弁による空気の流れを説明するための、屋外設置用ハウジングを側面から見た断面図である。
【発明を実施するための形態】
【００１３】
以下、添付図面を参照して、本発明の好適な実施形態について説明する。
【００１４】
＜第１の実施形態＞
図１、図２を参照して、本発明の第１の実施形態における、撮像装置の屋外設置用ハウジング１００（以下、屋外ハウジング１００）の構成を説明する。なお、本実施形態における屋外ハウジング１００は、その外部環境から密閉されているものとする。
【００１５】
屋外ハウジング１００は、第１のケース１０１、第２のケース１０２、ドーム部材１０３、カバー部材１０４から、その外装が構成される。また、屋外ハウジング１００の内部には、第１のファン１０５、第２のファン１０６、２つのヒータ１０７、撮像装置２００が収容される。
【００１６】
なお、本実施形態における撮像装置２００は、被写体を撮像して映像信号を生成する撮像ユニット２０３（後述）を有し、この撮像ユニット２０３をパン方向およびチルト方向に回転させることができるネットワークカメラであるものとする。
【００１７】
第１のケース１０１は、ポリカーボネート樹脂などで構成された断熱部材であり、一端が開放され且つ他端が閉じられた略円筒形状のケースである。第１のケース１０１の開放側の端部には、外向きのリブ１０１ｃが、ある区間を除いて、設けられている。また、第１のケース１０１には、吸気孔１０１ａが設けられている。さらに、第１のケース１０１は、その外周を第２のケース１０２によって覆われる。
【００１８】
第２のケース１０２は、アルミダイキャストなどで構成された熱伝導部材であり、一端が開放され且つ他端が閉じられた略円筒形状のケースである。第１のケース１０１と第２のケース１０２とが組み付けられる際、第１のケース１０１側の接面部１０１ｄと第２のケース側の接面部１０２ａが接触する。
【００１９】
なお、本実施形態における第１のケース１０１は、撮像装置２００を覆い、断熱性を有する断熱ケースに相当する。また、本実施形態における第２のケース１０２は、第１のケース１０１を覆い、熱伝導性を有する熱伝導ケースに相当する。
【００２０】
そして、第１のケース１０１と第２のケース１０２とが組み付けられることにより、第１のケース１０１と第２のケース１０２との間に生じる隙間に蓋をするようにリブ１０１ｃが配置される。これにより、小空間３０２が形成される。この小空間３０２は、吸気孔１０１ａと、第１のケースのリブ１０１ｃの除かれた区間と第２のケースの内面とで形成される排気孔１０１ｂと、によって小空間３０２の外部と通気することができる。
【００２１】
ドーム部材１０３とカバー部材１０４とは、図示しない方法によって固定され、一体的に扱われる。ドーム部材１０３と一体的に固定されたカバー部材１０４が、第２のケース１０２の開放端部に固定されることにより、屋外ハウジング１００は、その内部に空間３０１を形成する。
【００２２】
なお、本実施例におけるドーム部材１０３は、透明または半透明のプラスチック樹脂製のドームであり、半球形状に形成されている。また、このドーム部材１０３は、撮像ユニット２０３を覆う。そして、第１のファン取り付け部１０８および折り曲げ部１０８ａは、後述する。
【００２３】
撮像装置２００は、その底部を保持部材１０９に固定された状態で、第１のケース１０１に固定される。撮像装置２００は、撮像ユニット２０３、電源回路部２０４、制御回路部２０５から構成される。撮像ユニット２０３は、そのユニット外装から放熱を行う。電源を供給する電源回路部２０４は、電源回路部放熱部材２０１より放熱を行い、撮像ユニット２０３を制御するための制御回路部２０５は、制御回路部放熱部材２０２から放熱を行う構成となっている。
【００２４】
なお、本実施形態における撮像装置２００の最も大きな発熱源は、電源回路部２０４である。また、制御回路部放熱部材２０２は、アルミダイキャストなどで構成されて熱伝導性を有し、且つ撮像ユニット２０３とともにパン方向に回転する。
【００２５】
続いて、図３、図４を参照して、第１のファン１０５が生じさせる空気の流れについて説明する。
【００２６】
ここで、図３は、本実施形態における屋外ハウジング１００を側面から見た断面図であり、図４は、本実施形態における屋外ハウジング１００を正面から見た断面図である。なお、図３および図４の矢印は、第１のファン１０５により生じる空気の流れの方向を示す。この空気の流れは、撮像装置２００の外装の表面と第１のケース１０１の内面との間を、循環するものである。
【００２７】
また、本実施形態における第１のファン１０５の排気とは、第１のファン１０５が生じさせる空気の流れを意味し、本実施形態における第２のファンの排気とは、第２のファン１０６が生じさせる空気の流れを意味する。
【００２８】
図３および図４に示すように第１のファン１０５は、第１のファン取付部材１０８に固定された状態で、第１のケース１０１に設置される。具体的には、第１のファン１０５は、その排気側が電源回路部放熱部材２０１に対向するように、配置される。なお、第１のファン１０５の排気側の反対側は、第１のファン１０５の吸気側である。
【００２９】
第１のファン１０５は、その排気が、まず、電源回路部放熱部材２０１の付近を通過する。この電源回路部放熱部材２０１は、最も大きな発熱源である電源回路部２０４からの放熱を行うものである。
【００３０】
この排気が電源回路部放熱部材２０１付近を通過する際、第１のファン取付部材１０８の折り曲げ部１０８ａにより、第１のファン１０５の排気は、強制的に１０８ａ以外の方向へ流れる。その後、第１のファン１０５の排気は、ドーム部材１０３方向へその進路を変更し、ヒータ１０７付近、制御回路部放熱部材２０２、撮像ユニット２０３を順に通過し、ドーム部材１０３の内面に到達する。
【００３１】
第１のファン１０５の排気は、ドーム部材１０３の内面に到達した後、ドーム部材１０３の内表面に沿って流れ、第１のファン１０５の吸気側へ戻る。より詳細には、第１のファン１０５の排気は、ドーム部材１０３の内面の天頂部に到達した後、ドーム部材１０３の内表面、制御回路部放熱部材２０２、ヒータ１０７付近、第１のファン１０５の吸気側の順に通過する。
【００３２】
このような流路を第１のファン１０５の排気が形成するように、第１のファン１０５が配置されることで、屋外ハウジング１００の外部環境温度が高い場合には、撮像装置２００と第１のケース１０１内部の空間３０１の温度を効率的に均一化することができる。
【００３３】
また、外部環境温度が低い場合には、ヒータ１０７が発生させる熱を強制対流熱伝達によって、撮像装置２００に伝達させることができる。さらに、ヒータ１０７によって暖められた空気をドーム部材１０３まで送ることが可能であり、これにより、ドーム部材１０３の曇り防止効果も併せて得られる。
【００３４】
なお、本実施形態における折り曲げ部１０８ａは、第２のファン１０６を通過した後の空気と、第１のファン１０５から供給される空気であって電源回路部２０４を通過する前の空気と、が合流することを規制する流路規制部材の役割を果たす。
【００３５】
続いて、図５および図６を参照して、第２のファン１０６が生じさせる空気の流れについて説明する。ここで、図５は、本実施形態における屋外ハウジング１００を側面から見た断面図であり、図６は、本実施形態における屋外ハウジング１００を上面から見た断面図である。なお、図５および図６の白い矢印は、第２のファン１０６により生じる空気の流れの方向を示す。
【００３６】
第２のファン１０６は、第１のファン１０５によって、制御回路部放熱部材２０２、撮像ユニット２０３、制御回路部放熱部材２０２の順に通過した後の空気を吸気するように配置される。第２のファン１０６から排気された空気は、小空間３０２内を、第２のケース１０２内面を沿うように流動し、排気孔１０１ｂから第１のケース１０１内の空間３０１に戻り、第１のファン１０５により形成される空気の流れに合流する。  このように第２のファン１０６が配置されることにより、撮像装置２００の発熱源のほぼ全ての熱が伝達された空気を、熱伝導部材である第２のケース１０２の内面を沿うように流動させ、撮像装置２００の冷却を効率的に行うことができる。
【００３７】
また、第２のファン１０６が停止している場合、小空間３０２内には、ほぼ流動しない空気層が形成される。この空気層によって、屋外ハウジング１００の外部環境と空間３０１とは、断熱され、空間３０１の保温効果が得られる。
【００３８】
なお、第２のファン１０６は、図示しない制御システムによって、第１のケース１０１内の温度を基準として、動作または停止する。つまり、第１のケース１０１内の温度が所定の基準値を上回った場合、第２のファン１０６は、動作（排気）し、第１のケース１０１内の温度が所定の基準値を下回った場合、第２のファン１０６は、停止するように、この制御システムにより制御される。
【００３９】
続いて、図７を参照して、ヒータ１０７による空気の加熱について説明する。ここで、図７は、本実施形態における屋外ハウジング１００を正面から見た断面図である。なお、図７の黒い矢印は、第１のファン１０５により生じる空気の流れの方向を示す。
【００４０】
図７に示すように、ヒータ１０７は、第１のファン１０５の排気側の近くに配置され、且つ撮像装置２００の制御回路部放熱部材２０２の付近に配置される。たとえば、撮像装置２００の外装には、電源回路部放熱部材２０１および制御回路部放熱部材２０２のぞれぞれよりも熱伝導性の低い部材が含まれ、制御回路部放熱部材２０２は、この熱伝導性の低い部材よりヒータ１０７の近くに配置される。
【００４１】
この部材とヒータ１０７とのよりも制御回路部放熱部材２０２の付近に配置される。
【００４２】
これにより、ヒータ１０７により暖められた空気を撮像装置２００の周囲で対流させることが可能であり、強制対流熱伝達によって撮像装置２００を昇温することができる。更に、その空気をドーム部材１０３まで送ることができる為、曇りを防止することができる。また、この配置によって、ヒータ１０７の熱放射によって、撮像装置２００を直接的に暖めることができる。なお、図７の波線矢印は、この熱放射の様子を示す。
【００４３】
また、ヒータ１０７は、図示しない制御システムによって、第１のケース１０１内の温度を基準として、動作または停止する。第１のケース１０１内の温度が所定の基準値を上回った場合、ヒータ１０７は、動作（発熱）し、第１のケース１０１内の温度が基準値を下回った場合、ヒータ１０７は、停止するように、この制御システムにより制御される。
【００４４】
このように、本実施形態における２層構造をもつ撮像装置の屋外設置用ハウジングは、外部環境温度が低温時には、ヒータ１０７の熱放射と、ヒータ１０７で加熱された空気の第１のファン１０５による強制対流熱伝達とにより、撮像装置２００の温度を上げ得る。
【００４５】
一方、外部環境温度が高温時には、第１のファン１０５による、第１のケース１０１内における強制対流熱伝達によって撮像装置２００本体と第１のケース１０１内の空気の温度を均一化する。この際、第１のファン１０５による流れは撮像装置２００の電源回路部２０４付近、撮像ユニット２０３付近と、発熱量の多い箇所から順に通過することで、撮像装置２００を効率的に冷却することができる。
【００４６】
さらに、第２のファン１０６などの流路切替部によって、第１のファンによって撮像装置２００の主要発熱部の熱を奪った後の空気を第２のケース１０２へ誘導することで、更に効率的に、撮像装置２００を冷却することができる。
【００４７】
また、本実施形態では、第１のファン１０５から供給される空気は、撮像装置２００と断熱性を有する第１のケース１０１との間の断熱流路を、撮像装置２００の電源回路部２０４、第１のファン１０５の順に通過する。さらに、第２のファン１０６は、第１のファン１０５から供給される空気であって電源回路部２０４を通過した後且つ第１のファン１０５を通過する前の空気を、第１のケース１０１と熱伝導性を有する第２のケース１０２との間の熱伝導流路に導く。
【００４８】
これにより、第１のファン１０５から供給される空気は、まず、撮像装置２００の最も大きな発熱源である電源回路部２０４の熱を奪う。次に、奪った熱で加熱された空気は、第２のファン１０６により第１のファン１０５に戻る前に熱伝導流路に導かれ、冷却される。
【００４９】
この結果、撮像装置を覆い且つ断熱性を有する第１のケース１０１と、この第１のケース１０１を覆い且つ熱伝導性を有する第２のケース１０２と、を備える屋外設置用ハウジングは、撮像装置２００をより効果的に冷却することができる。
【００５０】
また、本実施形態では、主として第１のケース１０１内の空気を攪拌する第１のファン１０５は、この攪拌で発生した空気が、撮像装置２００の電源回路部２０４付近、撮像ユニット２０３の順に通過するように、第１のケース１０１内に配置される。さらに、第２のファン１０６は、撮像ユニット２０３の付近を通過した後のこの空気を、第２のケース１０２に誘導する。
【００５１】
これにより、第１のケース１０１内の空気流動が促進され、撮像装置２００と第１のケース１０１内の空気との間の熱伝達効率を上げることができる。さらに、この熱伝達効率をより効率化するため、第１のファン１０５の排気速度は第１のファン１０５から離れる程減衰することを考慮し、撮像装置２００の発熱の大きい箇所から順に空気の速い流れが通過するように第１のファン１０５を配置した。その上、通過した空気の熱は、第２のファン１０６の誘導により、ハウジング外部へ放熱される。この結果、撮像装置２００を更に効率的に冷却することが可能となる。
【００５２】
また、本実施形態では、第２のファン１０６、第１のケース１０１に設けられた吸気孔１０１ａ、および排気孔１０１ｂとを用いて、第１のファン１０５による空気であって撮像ユニット２０３の付近を通過した後の空気を、第２のケース１０２に誘導する。
【００５３】
これにより、第１のケース１０１内の空気を吸気し且つ第２のケース１０２へ排気するとともに、第１のケース１０１内の空気流動をより一層促進させることが可能となる。
【００５４】
また、本実施形態では、撮像装置２００の熱伝導部としての制御回路部放熱部材２０２近傍に、ヒータ１０７が配置される。これにより、ヒータ１０７の熱放射を利用し、直接的に撮像装置２００の昇温が可能となる。
【００５５】
また、本実施形態では、第１のファン１０５の排気側近傍にヒータ１０７が配置される。ヒータ１０７で発生した熱は、対流熱伝達で空気に伝わる。この際、ヒータ１０７表面を流れる空気の速度が速い程、熱伝達は促進される。そこで、このような配置とすることで、ヒータ１０７が発生する熱を効率的に空気に伝えることが可能となる。
【００５６】
また、本実施形態では、第１のファン１０５の排気が撮像装置２００の周囲の少なくとも一部を通過した後に第１のファン１０５に吸気されるように、折り曲げ部１０８ａを設けている。これにより、第１のファン１０５による排気を強制的に撮像装置２００の周囲に向かわせることで、第１のファン１０５の全ての風量を、撮像装置２００と撮像装置２００の周囲の空気との熱伝達に利用することができる。
【００５７】
なお、本実施形態では、断熱流路および熱伝導流路を通過する流体として空気を用いたが、これに限られるものではなく、空気以外の気体を用いても良い。たとえば、断熱流路および熱伝導流路を通過する流体として、アルゴンなどの不活性ガスを用いても良い。
【００５８】
＜第２の実施形態＞
図８を参照して、本発明の第２の実施形態における、撮像装置の屋外設置用ハウジング４００（以下、屋外ハウジング４００）の構成を説明する。なお、上述の第１の実施形態と重複する部分については、同一の符号を付し、その説明を適宜省略する。
【００５９】
屋外ハウジング４００は、第１のケース１０１、第２のケース１０２、ドーム部材１０３、カバー部材１０４から、その外装が構成される。また、屋外ハウジング４００の内部には、第１のファン１０５、ファン吸気路変更弁１１０、２つのヒータ１０７、撮像装置２００が収容される。
【００６０】
第１のケース１０１は、ポリカーボネート樹脂などで構成された断熱部材であり、一端が開放され且つ他端が閉じられた略円筒形状のケースである。第１のケース１０１の開放側の端部には、外向きのリブ１０１ｃが設けられている。また、第１のケース１０１には、吸気孔１０１ａ、排気孔１０１ｅが設けられている。さらに、第１のケース１０１は、その外周を第２のケース１０２によって覆われる。
【００６１】
第２のケース１０２は、アルミダイキャストなどで構成された熱伝導部材であり、一端が開放され且つ他端が閉じられた略円筒形状のケースである。第１のケース１０１と第２のケース１０２とが組み付けられる際、第１のケース側の接面部１０１ｄと第２のケース側の接面部１０２ａとが接触する。
【００６２】
また、第１のケース１０１と第２のケース１０２との間に生じる隙間に蓋をするようにリブ１０１ｃが配置される。したがって、第１のケース１０１と第２のケース１０２とが組み付けられることにより、小空間３０２が形成される。この小空間３０２は、吸気孔１０１ａと、排気孔１０１ｅと、によって小空間３０２の外部と通気することができる。
【００６３】
ドーム部材１０３とカバー部材１０４とは、図示しない方法によって固定され、一体的に扱われる。ドーム部材１０３と一体的に固定されたカバー部材１０４が、第２のケース１０２の開放端部に固定されることにより、屋外ハウジング４００は、その内部に空間３０１を形成する。
【００６４】
撮像装置２００は、その底部を保持部材１０９に固定された状態で、第１のケース１０１に固定される。撮像装置２００は撮像ユニット２０３、電源回路部２０４、制御回路部２０５から構成される。撮像ユニット２０３は、そのユニット外装から放熱を行う。電源回路部２０４は、電源回路部放熱部材２０１より放熱を行い、制御回路部２０５は、制御回路部放熱部材２０２から放熱を行う構成となっている。
【００６５】
なお、本実施形態における撮像装置２００の最も大きな発熱源は、電源回路部２０４である。
【００６６】
第１のケース１０１に設けられた排気孔１０１ｅには、ファン吸気路変更弁１１０が設置される。このファン吸気路変更弁１１０は、片側が開放された円筒形状の弁で、その円筒外周面の一部に開口部１１０ａを有する。ファン吸気路変更弁１１０は、図示しない駆動機構によって、直下に配される第１のファン１０５の吸気路を変更する。
【００６７】
具体的には、開口部１１０ａと排気孔１０１ｅとが一致するように配置されている場合、第１のファン１０５の吸気は、小空間３０２から行われる。また、開口部１１０ａが第１のケース１０１内部に向けて配置されている場合、第１のファン１０５の吸気は、空間３０１から行われる。
【００６８】
続いて、図９を参照して、開口部１１０ａが第１のケース１０１内部に向けて配置されている場合（開口部１１０ａが排気孔１０１ｅと一致するように配置されていない場合）における、第１のファン１０５による空気の流れについて説明する。ここで、図９は、本実施形態における屋外ハウジング４００を側面から見た断面図である。
【００６９】
第１のファン１０５は、第１のファン取付部材１０８に固定された状態で、第１のケース１０１に設置される。第１のファン１０５は、その排気が、まず、電源回路部放熱部材２０１の付近を通過する。この電源回路部放熱部材２０１は、最も大きな発熱源である電源回路部２０４からの放熱を行うものである。
【００７０】
この排気が電源回路部放熱部材２０１を通過する際、第１のファン取付部材１０８の折り曲げ部１０８ａにより、第１のファン１０５の排気は、強制的に１０８ａ以外の方向へ流れる。その後、第１のファン１０５の排気の流れは、ドーム部材１０３方向へその進路を変更し、ヒータ１０７付近、制御回路部放熱部材２０２、撮像ユニット２０３を順に通過し、ドーム部材１０３の内面に到達する。
【００７１】
第１のファン１０５の排気は、ドーム部材１０３の内面に到達した後、ドーム部材１０３の内表面に沿って流れ、ファン吸気路変更弁１１０の開口部１１０ａを通って、第１のファン１０５の吸気側へ戻る。より詳細には、第１のファン１０５の排気は、ドーム部材１０３の内面の天頂部に到達した後、ドーム部材１０３の内表面、制御回路部放熱部材２０２、ヒータ１０７付近、開口部１１０ａ、第１のファン１０５の吸気側の順に通過する。
【００７２】
このような流路を第１のファン１０５の排気が形成するように開口部１１０ａが配置されることで、第２のファン１０６を用いることなく、次のような効果を得ることができる。すなわち、屋外ハウジング４００の外部環境温度が高い場合には、撮像装置２００と第１のケース１０１内部の空間３０１の温度を効率的に均一化することができる。
【００７３】
また、外部環境温度が低い場合には、ヒータ１０７によって暖められた空気の熱を撮像装置２００に伝達させることができる。さらに、ヒータ１０７によって暖められた空気をドーム部材１０３まで送ることが可能であり、これにより、ドーム部材１０３の曇り防止効果も併せて得られる。
【００７４】
その上、開口部１１０ａが第１のケース１０１内部に向けられて配置される場合、小空間３０２内には、ほぼ流動しない空気層が形成される。この空気層によって、屋外ハウジング４００の外部環境と空間３０１は断熱され、空間３０１の保温効果が得られる。
【００７５】
続いて、図１０を参照して、開口部１１０ａと排気孔１０１ｅとが一致するように配置されている場合（開口部１１０ａが第１のケース１０１内部に向けて配置されていない場合）における、第１のファン１０５による空気の流れについて説明する。ここで、図１０は、本実施形態における屋外ハウジング４００を側面から見た断面図である。
【００７６】
第１のファン１０５は、第１のファン取付部材１０８に固定された状態で、第１のケース１０１に設置される。第１のファン１０５は、その排気が、まず、電源回路部放熱部材２０１の付近を通過する。
【００７７】
この排気が電源回路部放熱部材２０１を通過する際、第１のファン取付部材１０８の折り曲げ部１０８ａにより、第１のファン１０５の排気は、強制的に１０８ａ以外の方向へ流れる。その後、流れはドーム部材１０３方向へその進路を変更し、制御回路部放熱部材２０２、撮像ユニット２０３、ヒータ１０７付近を順に通過し、ドーム部材１０３の内面に到達する。
【００７８】
第１のファン１０５の排気は、ドーム部材１０３の内面に到達した後、ドーム部材１０３の内表面に沿って流れる。そして、ドーム部材１０３の内表面を沿って流れた空気の流れは、ファン吸気路変更弁１１０の開口部１１０ａが排気孔１０１ｅと一致している為に生じる圧力差によって、吸気孔１０１ａを通過して、小空間３０２に誘導される。
【００７９】
この誘導された空気は、小空間３０２内を第２のケース１０２内面を沿うように流動し、排気孔１０１ｅから第１のケース１０１内部へ流入すると同時に、第１のファン１０５の吸気側へ戻る。
【００８０】
このように開口部１１０ａが配置されることにより、撮像装置２００の発熱源のほぼ全ての熱が伝達された空気を、熱伝導部材である第２のケース１０２の内面を沿うように流動させ、撮像装置２００の冷却を効率的に行うことができる。
【００８１】
ファン吸気路変更弁１１０は、図示しない制御システムによって、第１のケース１０１内の温度を基準として、開口部１１０ａの向きを変更するように制御される。すなわち、第１のケース１０１内の温度が基準値を超える場合、開口部１１０ａは、排気孔１０１ｅと一致するように配置され、第１のケース１０１内の温度が基準値を超えない場合、開口部１１０ａは第１のケース１０１内部に向けられて配置される。
【００８２】
続いて、図７を参照して、ヒータ１０７による空気の加熱について説明する。ヒータ１０７は、第１のファン１０５の排気側近くに配置される。また、さらに、撮像装置２００の制御回路部放熱部材２０２の付近に配置される。
【００８３】
これにより、ヒータ１０７によって暖められた空気の熱放射を有効に活用でき、且つ、その空気をドーム部材１０３まで送ることができる為、曇りを防止する。また、この配置によって、ヒータ１０７の熱放射によって、撮像装置２００を直接的に暖めることができる。
【００８４】
ヒータ１０７は、図示しない制御システムによって、第１のケース１０１内の温度を基準として、動作または停止する。第１のケース１０１内の温度が基準値を超えない場合、ヒータ１０７は動作し、第１のケース１０１内の温度が基準値を超える場合、ヒータ１０７は停止するように制御される。
【００８５】
以上のように、本実施形態では、ファン吸気路変更弁１１０は、第１のファン１０５から供給される空気であって電源回路部２０４を通過した後且つ第１のファン１０５を通過する前の空気を、第１のケース１０１と第２のケース１０２との間の熱伝導流路に導く。
【００８６】
これにより、第２のファン１０６を用いることなく、電源回路部２０４の熱を奪って暖かくなった空気は、第１のファン１０５に戻る前に熱伝導流路に導かれ、冷却される。この結果、本実施形態における屋外設置用ハウジングは、低消費電力化およびコストダウンを実現することができるとともに、撮像装置２００をより効果的に冷却することができる。
【００８７】
また、本実施形態では、ファン吸気路変更弁１１０、第１のケース１０１に設けられた吸気孔１０１ａ、排気孔１０１ｂとを用いて、第１のファン１０５による空気であって撮像ユニット２０３の付近を通過した後の空気を、第２のケース１０２に誘導する。これにより、第２のファン１０６を用いることなく、第１のケース１０１内の空気を第２のケース１０２へ誘導し、且つ流動させることができる。
【００８８】
また、本実施形態では、第１のケース１０１内の温度が基準値より高いと、第２のケース１０２から第１のファン１０５の吸気を行うようにファン吸気路変更弁１１０を配置する。一方、この温度が基準値より低いと、第１のケース１０１から第１のファン１０５の吸気を行うようにファン吸気路変更弁１１０を配置する。
【００８９】
以上、本発明をその好適な実施形態に基づいて詳述してきたが、本発明はこれら特定の実施形態に限られるものではなく、この発明の要旨を逸脱しない範囲の様々な形態も本発明に含まれる。また、上述した実施形態の一部を適宜組み合わせても良い。
【符号の説明】
【００９０】
１００  屋外設置用ハウジング
１０１  第１のケース
１０２  第２のケース
１０５  第１のファン
１０６  第２のファン
２００  撮像装置
２０４  電源回路部
【図１】
2014106412.tif 000003
【図２】
2014106412.tif 000004
【図３】
2014106412.tif 000005
【図４】
2014106412.tif 000006
【図５】
2014106412.tif 000007
【図６】
2014106412.tif 000008
【図７】
2014106412.tif 000009
【図８】
2014106412.tif 000010
【図９】
2014106412.tif 000011
【図１０】
2014106412.tif 000012